(57)【要約】【課題】  解決しようとする問題点はパネル型スピーカー及びパネル型レシーバを用いた機器において、音圧を大きくしようとすると機器の防水性が保てなかったという点である。【解決手段】  パネル型スピーカー用エキサイタ及びパネル型レシーバ用エキサイタの取付構造において、機器の筐体とスピーカーの振動板であるパネルとを防水性のフィルムを用いて支持した。また前記防水性フィルム上に該フィルムを保護する筐体を設けた。さらに前記防水性フィルムを保護する筐体を、前記機器の筐体とは別に設けられたサブフレームとした。【選択図】        図１
2007027922.tif 000002
【特許請求の範囲】
【請求項１】
パネル型スピーカー用エキサイタ及びパネル型レシーバ用エキサイタの取付構造において、
機器の筐体とスピーカー及びレシーバの振動板であるパネルとを防水性のフィルムを用いて支持したことを特徴とするパネル型スピーカー用エキサイタ及びパネル型レシーバ用エキサイタの取付構造。
【請求項２】
前記防水性フィルム上に、該フィルムを保護する筐体を設けたことを特徴とする請求項１記載のパネル型スピーカー用エキサイタ及びパネル型レシーバ用エキサイタの取付構造。
【請求項３】
前記防水性フィルムを保護する筐体は、前記機器の筐体とは別に設けられたサブフレームであることを特徴とする請求項２記載のパネル型スピーカー用エキサイタ及びパネル型レシーバ用エキサイタの取付構造。
【発明の詳細な説明】
【技術分野】
【０００１】
本発明は、パネル型スピーカー用エキサイタ及びパネル型レシーバ用エキサイタの取付構造、特に携帯電話のような小型携帯機器における防水取付構造に関する。
【背景技術】
【０００２】
近来携帯電話のような小型携帯機器においては、液晶装置のような表示装置の保護用に設けられた透明なパネルをスピーカーもしくはレシーバーの振動板であるパネルとして用いるパネル型スピーカーもしくはパネル型レシーバが多く用いられてきている。このようなパネル型スピーカーもしくはパネル型レシーバを用いた機器に関しては衝撃対策に焦点が当てられていた。衝撃によるエキサイター（アクチュエーターと同意）の破壊を避けるため、圧電振動板の両板面に衝撃吸収材を配設するというような提案が成されている（例えば特許文献１参照）。
【０００３】
しかしパネル型スピーカーもしくはパネル型レシーバを用いた機器においては、このような衝撃問題の他に、エキサイターの取付構造によっては音圧の大きさと防水性の両特性を満足することが困難であるという問題があった。
この問題を図２，３を用いて説明する。
図２はパネル型スピーカーもしくはパネル型レシーバを用いた携帯電話の図で、図２（ａ）はパネル型スピーカーもしくはパネル型レシーバを用いた携帯電話３０の平面図で、筐体１８の表面にパネル型スピーカーもしくはパネル型レシーバの振動板を兼ねるパネル２０が設けられている。該パネル２０は例えばアクリル材のような透明な材料から成り、パネル後部に設けられた液晶表示装置３２を透視出来るようになっており、エキサイター２２は液晶表示装置３２と同様にパネル後部の液晶表示装置３２上方に取り付けられている。
【０００４】
図２（ｂ）は図２（ａ）のＡ−Ａ’断面図で、パネル２０は支持部材であるサスペンション３６で筐体１８に支持され、液晶表示装置３２はウレタンフォーム等のガスケット３４でパネルに支持されている。さらにパネル２０にはエキサイター２２が取り付けられてパネル２０を振動させ音を発生させている。
問題となるのはサスペンシォン３６である。この問題を図２（ｂ）のＢ部の拡大図従来例である図３を用いて説明する。
【０００５】
図３においてサスペンシォン３６は連続発泡体２６と該連続発泡体２６を挟んでいるＰＥＴ等の基材２４とアクリル系等の粘着材１２，１６とから成っている。
サスペンシォン３６を独立発泡体のような硬い材料で構成すると、パネル２０が筐体１８に剛支持されてしまい、パネル２０の振動を阻害して音圧が下がってしまう。そこでサスペンシォン３６をパネル２０の振動を阻害しない連続発泡体のような柔らかい材料にすることが望ましい。
ところが連続発泡体は一連の気泡が連なった構造となっているため、防水性を持ち合わせた構造となっていない。そのため図３に線２８で示した水分は、筐体１８とパネル２０の隙間から連続発泡体２６を通過して筐体内部に入り込んでしまう。
サスペンション３６側面を通して進入した水分は内部液晶画面やパネルに水滴や曇りを引き起こす原因となり、またエキサイター等の他の電子部品に悪影響を及ぼす可能性がある。
このように従来のパネル型スピーカー用エキサイタ及びパネル型レシーバ用エキサイタの取付構造では音圧を大きくしようとすると機器の防水性が保てないという問題があった。
【０００６】
【特許文献１】特開２００４−１０４３２７
【発明の開示】
【発明が解決しようとする課題】
【０００７】
解決しようとする問題点はパネル型スピーカー及びパネル型レシーバを用いた機器において、音圧を大きくしようとすると機器の防水性が保てなかったという点である。
【課題を解決するための手段】
【０００８】
本発明のパネル型スピーカー用エキサイタ及びパネル型レシーバ用エキサイタの取付構造は、機器の筐体とスピーカー及びレシーバの振動板であるパネルとを防水性のフィルムを用いて支持したことを特徴とする。
【０００９】
また本発明のパネル型スピーカー用エキサイタ及びパネル型レシーバ用エキサイタの取付構造は、前記防水性フィルム上に、該フィルムを保護する筐体を設けたことを特徴とする。
【００１０】
また本発明のパネル型スピーカー用エキサイタ及びパネル型レシーバ用エキサイタの取付構造は、前記防水性フィルムを保護する筐体が前記機器の筐体とは別に設けられたサブフレームであることを特徴とする。
【発明の効果】
【００１１】
本発明のパネル型スピーカー用エキサイタ及びパネル型レシーバ用エキサイタの取付構造によれば、フィルム材で防水されるため、筐体内部への水分の進入を防止出来、かつパネルを軟支持する事ができるためパネルの振動抑制を極力少なくすることが出来、大きな音圧が得られる。また、フィルムの材料、材厚、形状等の選択により周波数特性を選択的に調整することが出来るため設計の自由度を増すことが出来る。
【発明を実施するための最良の形態】
【００１２】
パネル型スピーカー用エキサイタ及びパネル型レシーバ用エキサイタの取付構造において、機器の筐体とスピーカーの振動板であるパネルとを防水性のフィルムを用いて支持した。また前記防水性フィルム上に該フィルムを保護する筐体を設けた。さらに前記防水性フィルムを保護する筐体を、前記機器の筐体とは別に設けられたサブフレームとした。
【実施例１】
【００１３】
図１は本発明によるパネル型スピーカー用エキサイタ及びパネル型レシーバ用エキサイタの取付構造の実施例の部分断面図である。
図１は図３と同様、図２に示したパネル型スピーカーもしくはパネル型レシーバを用いた携帯電話のＢ部の拡大図である。
図１において、パネル２０は防水性フィルム１４とその両面に設けられた粘着材１２，１６によって筐体１８に支持され、パネル２０にはエキサイター２２が貼り付けられてパネル２０を振動させ音を発生させている。この防水性フィルム１４はパネル２０の４辺すべてを覆うように設けられている。また防水性フィルム１４上には該フィルムを保護する筐体１０が設けられており、該筐体１０は機器３０の筐体１８とは別に設けられたサブフレームであり、該サブフレーム１０は機器３０の筐体１８に防水性フィルム１４を介して固定されている。
【００１４】
このように本発明の取付構造においてはパネル１０が防水性フィルム１４で筐体１８に支持されている。そのため図１に線２８で示した水分は、サブフレーム１０とパネル２０の隙間から進入しようとするが防水性フィルム１４で阻まれて筐体１８の内部に進入することはなく、エキサイター等の電子部品が水分によって悪影響を及ぼされる可能性は解消されている。
また、パネル２０は防水性フィルム１４という柔らかい材料で筐体１８に軟支持されているため、振動抑制がきわめて少なくなり、大きな音圧を得ることが出来る。
ここで防水性フィルム１４は防水性を有していれば良く、ＰＩ，ＰＥＴ，ＰＣ等の一般的な材料に限定されるものではない。
防水性フィルム１４としては一般に０．１８ｍｍ位の厚さのものが用いられているが、本発明においては、防水性と軟支持が実現すればよいので、例えば０．０５ｍｍ厚から０．５ｍｍの範囲で、厚さを選択可能である。またパネルの質量が大きい時は０．２５ｍｍ厚から０．５ｍｍ厚というような特殊な厚さを選択することも好ましい。
同様に防水性フィルム１４の材料、形状等も選択可能であり、例えば周波数特性のような要求特性に合わせて各要素を選択可能であり、設計の自由度を増すことが出来る。
なお、エキサイタを使用した携帯用のパネル型スピーカでは、電気的な処理を行うことにより同一構造でパネル型レシーバにも適応できることは周知であり、本明細書で説明するエキサイタはパネル型スピーカにもパネル型レシーバにも適応できるものであることを前提としている。
【００１５】
さらに、防水性フィルム１４上には該フィルムを保護するサブフレーム１０を設けたため、防水性フィルム１４の機械的損傷を防ぐことが出来ている。
さらにまた、サブフレーム１０を機器の筐体１８とは別体としたことにより、筐体１８を型を用いて製造可能と出来るという実際的な効果もある。
【００１６】
本発明は携帯電話のような小型携帯機器に特に効果があるが、フィルムの選択によれば中型のＰＤＡやパーソナルコンピューターにも適用が可能である。
【図面の簡単な説明】
【００１７】
【図１】本発明によるパネル型スピーカー用エキサイタ及びパネル型レシーバ用エキサイタの取付構造の実施例の部分断面図である。
【図２】パネル型スピーカーもしくはパネル型レシーバを用いた携帯電話の図である。
【図３】図２（ｂ）のＢ部の拡大図従来例である。
【符号の説明】
【００１８】
３０  パネル型スピーカーもしくはパネル型レシーバを用いた機器
１８  機器の筐体
２０  パネル
１４  防水性のフィルム
１０  フィルムを保護する筐体、サブフレーム
２２  エキサイター
【図１】
2007027922.tif 000003
【図２】
2007027922.tif 000004
【図３】
2007027922.tif 000005